(57)【要約】【課題】  こたつの内部及び外部を同時に暖房できるようにし、暖房を行なう際のコストを低減させる。【解決手段】  こたつの上部２を覆う頂面部１と、頂面部１の周縁３から垂下する側面部１０とを備えたこたつ用布団Ｆにおいて、側面部１０に少なくとも１つの開口１１を設け、開口１１を開閉可能に塞ぐ蓋部２０と、こたつの外部に温風を送風する暖房機を備え、こたつ用布団Ｆの開口１１を開にし、暖房機から開口１１に向けて温風を送風し、この温風によりこたつの外部及び内部を同時に暖房する。【選択図】図１
2009068813.tif 000002
【特許請求の範囲】
【請求項１】
こたつの上部を覆う頂面部と、該頂面部の周縁から垂下する側面部とを備えたこたつ用布団において、
上記側面部に少なくとも１つの開口を設け、該開口を開閉可能に塞ぐ蓋部を備えたことを特徴とするこたつ用布団。
【請求項２】
上記開口を、上記側面部の外周縁から切欠いて形成したことを特徴とする請求項１記載のこたつ用布団。
【請求項３】
上記蓋部を、上記開口に着脱可能に設けたことを特徴とする請求項１または２記載のこたつ用布団。
【請求項４】
上記蓋部の一側縁部を、上記開口の開口縁に固定して設けたことを特徴とする請求項１または２記載のこたつ用布団。
【請求項５】
上記開口を開にしたとき上記蓋部を保持する保持部を設けたことを特徴とする請求項４記載のこたつ用布団。
【請求項６】
大片体と、該大片体に着脱可能に取付けられる小片体とに分割し、上記小片体に上記開口を設けたことを特徴とする請求項１乃至５何れかに記載のこたつ用布団。
【請求項７】
上記小片体を収納して、枕として使用することを可能にする袋を備えたことを特徴とする請求項１乃至６何れかに記載のこたつ用布団。
【請求項８】
上記請求項１乃至７何れかに記載のこたつ用布団を用いて暖房を行なうこたつ暖房方法において、
こたつの外部に温風を送風する暖房機を備え、上記こたつ用布団の上記開口を開にし、上記暖房機から該開口に向けて温風を送風し、該温風によりこたつの外部及び内部を同時に暖房することを特徴とするこたつ暖房方法。
【発明の詳細な説明】
【技術分野】
【０００１】
本発明は、こたつ用布団及びこのこたつ用布団を用いたこたつ暖房方法に関する。
【背景技術】
【０００２】
一般に、こたつとしては、例えば、図８に示すように、電熱型のものが知られ、４本の脚部１００を有したテーブル型で、その天板１０１下部に電熱ヒータ１０２を備えている。このようなこたつに用いるこたつ用布団ＦＡとしては、従来、例えば、こたつの上部を覆う頂面部１１０と、この頂面部１１０の周縁から垂下する側面部１１１とを備えて構成されている（例えば、特開２００６−９０５６８号公報掲載）。
【０００３】
【特許文献１】特開２００６−９０５６８号公報
【発明の開示】
【発明が解決しようとする課題】
【０００４】
しかしながら、この従来のこたつ用布団ＦＡにあっては、熱源である電熱ヒータ１０２がこたつ内部に設けられているので、こたつの外部は暖房されないという問題があった。また、こたつの外部を暖房するには、別の暖房機を用いなければならず、こたつの内部と外部とで別々に暖房を行なう必要があるため、電気代等がかかり暖房を行なう際のコストが高くなるという問題もあった。
【０００５】
本発明は、このような問題点に鑑みてなされたもので、こたつの内部及び外部を同時に暖房できるようにし、暖房を行なう際のコストを低減させるこたつ用布団を提供することを目的とする。
【課題を解決するための手段】
【０００６】
このような目的を達成するため、本発明のこたつ用布団は、こたつの上部を覆う頂面部と、該頂面部の周縁から垂下する側面部とを備えたこたつ用布団において、上記側面部に少なくとも１つの開口を設け、該開口を開閉可能に塞ぐ蓋部を備えた構成としている。
【０００７】
これにより、暖房を行なうときは、側面部に設けられた開口を開にし、こたつの内部と外部とを連通させる。そして、例えば、電熱あるいは石油ストーブ等の温風暖房機により、開口から内部に温風が入り込むようにこたつの外部を暖房すると、暖気はこたつの内部に入り込んで、こたつの内部も暖房するようになる。即ち、こたつの内部及び外部を同時に暖房できるようになるので、こたつの内部と外部とで別々に暖房を行なう必要がなくなり、そのため、暖房を行なう際のコストを低減させることができる。また、こたつの内部のみを暖房する場合は、側面部に設けられた開口を蓋部で塞ぎ、開口を閉にすることで、周知のこたつ用布団と同様に用いることができる。
【０００８】
そして、必要に応じ、上記開口を、上記側面部の外周縁から切欠いて形成した構成としている。これにより、開口の開閉を行なうときの作業が容易になる。
【０００９】
また、必要に応じ、上記蓋部を、上記開口に着脱可能に設けた構成としている。これにより、開口を開にした状態でこたつ用布団を使用する場合は、蓋部が不要になるので、蓋部を取外して使用する。また、蓋部を取外すことができるので、蓋部が汚れた場合は、蓋部のみを洗濯すれば良く、それだけ、利便性が良くなる。
【００１０】
更に、必要に応じ、上記蓋部の一側縁部を、上記開口の開口縁に固定して設けた構成としている。これにより、開口を開にした状態でこたつ用布団を使用する場合は、蓋部の固定されていない側縁部を、固定されている側縁部側に向かって捲るようにして使用する。また、蓋部が側面部に固定されているので、蓋部を紛失することがない。
【００１１】
そしてまた、必要に応じ、上記開口を開にしたとき上記蓋部を保持する保持部を設けた構成としている。開口を開にするときは、蓋部の固定されていない側縁部を、固定されている側縁部側に向かって捲り、固定されていない側縁部を保持部によって保持させる。これにより、蓋部が使用意図に反して開口を塞ぐことを防止することができる。
【００１２】
また、必要に応じ、大片体と、該大片体に着脱可能に取付けられる小片体とに分割し、上記小片体に上記開口を設けた構成としている。これにより、こたつを使用しない時は、布団を大片体と小片体とに分割する。大片体は、例えば、肌がけ布団として使用することができる。小片体は、蓋部を開口に取付け、例えば、丸める等して枕として使用することができる。即ち、こたつを使用する時は、こたつ用布団として使用し、こたつを使用しない時は、肌がけ布団，枕等に使用できるので、一年中使用することができる。
【００１３】
更に、上記小片体を収納して、枕として使用することを可能にする袋を備えた構成としている。これにより、小片体は、蓋部を開口に取付け、丸める等して袋に収納し、枕として使用することができる。また、袋に入れた状態で枕として使用するので、小片体及び蓋部が汚れにくい。
【００１４】
また、上記目的を達成するための本発明のこたつ暖房方法は、上記のこたつ用布団を用いて暖房を行なうこたつ暖房方法において、こたつの外部に温風を送風する暖房機を備え、上記こたつ用布団の上記開口を開にし、上記暖房機から該開口に向けて温風を送風し、該温風によりこたつの外部及び内部を同時に暖房するようにしている。
【００１５】
これにより、本発明のこたつ用布団を用いて暖房を行なうときは、温風を送風する、例えば、電熱あるいは石油ストーブ等の暖房機によって暖房を行なう。こたつの外部に暖房機を設置し、こたつ用布団の側面部に設けられた開口を開にする。この開口に向けて、暖房機から温風を送風する。温風は、こたつの外部を暖房するとともに、開口からこたつの内部に入り込んで、こたつの内部も暖房するようになる。即ち、１つの暖房機で、こたつの内部及び外部を同時に暖房することができるので、こたつの内部と外部とで別々に暖房を行なう必要がなくなり、そのため、暖房を行なう際のコストを低減させることができる。
【発明の効果】
【００１６】
本発明のこたつ用布団によれば、暖房を行なうときは、側面部に設けられた開口を開にし、こたつの内部と外部とを連通させる。そして、温風暖房機により、開口から内部に温風が入り込むようにこたつの外部を暖房すると、暖気はこたつの内部に入り込んで、こたつの内部も暖房するようになる。即ち、こたつの内部及び外部を同時に暖房できるようになるので、こたつの内部と外部とで別々に暖房を行なう必要がなくなり、そのため、暖房を行なう際のコストを低減させることができる。また、こたつの内部のみを暖房する場合は、側面部に設けられた開口を蓋部で塞ぎ、開口を閉にすることで、周知のこたつ用布団と同様に用いることができる。
【発明を実施するための最良の形態】
【００１７】
以下、添付図面に基づいて本発明の実施の形態に係るこたつ用布団を説明する。
図１乃至図４には、本発明の第一の実施の形態に係るこたつ用布団Ｆを示している。このこたつ用布団Ｆが用いられるこたつは、どのような形状のものでも良い。本実施の形態では、４本の脚部を有したテーブル型で、その天板下部に電熱ヒータが備えられていないもので構成している。尚、電熱ヒータが備えられているこたつであっても良い。
【００１８】
このこたつ用布団Ｆは、正方形に形成されている。そして、長方形状で略掛け布団の大きさの大片体Ｆａと、この大片体Ｆａに着脱可能に取付けられる小片体Ｆｂとに分割されている。また、こたつ用布団Ｆは、頂面部１と、側面部１０と、蓋部２０とを備えてなる。
頂面部１は、図１乃至図３に示すように、こたつの上部２を覆う矩形部分である。
【００１９】
側面部１０は、図１乃至図３に示すように、頂面部１の周縁３から垂下されている。この側面部１０の一部が小片体Ｆｂとして構成されている。大片体Ｆａと小片体Ｆｂとは、ファスナ５０で着脱可能に接続されている。また、側面部１０には、少なくとも１つの開口１１が設けられている。本実施の形態では、小片体Ｆｂに１つ設けられている。この開口１１は、側面部１０の外周縁１２から切欠いて形成され、矩形状に形成されている。また、この開口１１の上縁１３には、ファスナのエレメント１４ａ及び１組のエレメントの噛合、離脱を行なわせるスライダ１５が設けられている。
また、実施の形態では、小片体Ｆｂを収納して、枕として使用することを可能にする袋５１が備えられている。
【００２０】
蓋部２０は、図１及び図３に示すように、側面部１０に設けられた開口１１を開閉可能に塞ぐもので、開口１１に着脱可能に設けられている。この蓋部２０は、開口１１と同形の形状を成しており、開口１１と取り付けられる側縁には、開口１１に設けられているエレメント１４ａに噛合されるエレメント１４ｂが設けられている。
【００２１】
このように構成される第一の実施の形態に係るこたつ用布団Ｆを用いて暖房を行なうときは、以下のようにする。これは、こたつの外部に、温風Ｎを送風する、例えば、電熱あるいは石油ストーブ等の暖房機３０を備え、この暖房機３０によって暖房を行なう場合である。
【００２２】
先ず、暖房機３０を、こたつの外部に設置する。また、こたつ用布団Ｆの側面部１０の開口１１を開にする。このとき、蓋部２０は、開口１１にファスナによって取付けられているので、ファスナを開いて蓋部２０を開口１１から取外す。詳しくは、開口１１の上縁１３に設けられているスライダ１５を把持し、スライダ１５をエレメント１４ａ，１４ｂに沿って移動させていく。開口１１の上縁１３に設けられているエレメント１４ａと蓋部２０のエレメント１４ｂとは噛合しているが、スライダ１５の移動により、徐々に離脱させられ、最後には、蓋部２０は開口１１から完全に取外される。
【００２３】
この状態で、暖房機３０を駆動させて、開口１１に向けて温風Ｎを送風させる。暖房機３０は、こたつの外部に設置されているので、温風Ｎは、こたつの外部の空気を暖めて暖房する。また、温風Ｎは、開口１１からこたつの内部に入り込み、こたつの内部も暖房する。詳しくは、温風Ｎがこたつの外部から内部に向かって送風される箇所のみ開口１１が開にされるので、こたつの内部に入り込んだ温風Ｎは、こたつの外部に出ていきにくくなる。そのため、温風Ｎは、こたつの内部を巡るようになるので、暖房及び保温効果が向上する。このように、暖房機３０から送風された温風Ｎによって、こたつの外部及び内部を同時に暖房することができるので、こたつの内部と外部とで別々に暖房を行なう必要がなくなり、そのため、暖房を行なう際のコストを低減させることができる。
【００２４】
また、こたつに電熱ヒータが備えられている場合には、こたつの内部のみを暖房することができる。この場合は、側面部１０に設けられた開口１１を蓋部２０で塞ぐ。詳しくは、開口１１の上縁１３に設けられているエレメント１４ａと、蓋部２０のエレメント１４ｂとの一部を噛合させ、スライダ１５を把持し、スライダ１５をエレメント１４ａ，１４ｂに沿って移動させていく。スライダ１５の移動により、離脱しているエレメント１４ａ，１４ｂ同士も徐々に噛合させられ、最後には、蓋部２０は開口１１に取付けられる。このように、開口１１を閉にすることで、周知のこたつ用布団と同様に用いることができる。
【００２５】
更に、こたつを使用しないときは、大片体Ｆａと、大片体Ｆａに着脱可能に取付けられる小片体Ｆｂとに分割し、こたつ用布団以外の用途に用いることができる。大片体Ｆａと小片体Ｆｂとは、ファスナ５０で取付けられているので、ファスナ５０を開いて分割させる。図４に示すように、大片体Ｆａは、例えば、肌がけ布団として使用することができる。また、小片体Ｆｂは、蓋部２０を開口１１に取付け、例えば、丸める等して袋５１に収納し、枕として使用することができる。即ち、こたつを使用する時は、こたつ用布団として使用し、こたつを使用しない時は、肌がけ布団，枕等に使用できるので、一年中使用することができる。
【００２６】
図５及び図６には、本発明の第二の実施の形態に係るこたつ用布団Ｆを示している。これは、蓋部２０を、その一側縁部を開口１１の開口縁１６に固定して設けたものである。本実施の形態では、蓋部２０の上縁１７と開口１１の上縁１３とが一体化されている。また、側面部１０の開口縁１６近傍には、開口１１を開にしたとき、蓋部２０を保持する保持部４０が設けられている。
【００２７】
保持部４０は、可撓性部材で構成され矩形に形成された保持部材４１と、保持部材４１を係止する係止体４２とで構成されている。保持部材４１は、一端４３が側面部外面の開口縁１６近傍に固定され、他端４４には、ボタン孔４５が形成されている。係止体４２は、ボタン４２ａで構成され、側面部内面の開口縁１６近傍に設けられている。
【００２８】
このように構成される第二の実施の形態に係るこたつ用布団Ｆを用いて暖房を行なうときは、以下のようにする。側面部１０の開口１１を開にする場合は、蓋部２０を、側面部１０の外周縁１２から、固定されている蓋部２０の上縁１７側に向かって捲る。このとき、外周縁１２から丸めるようにして捲っていく。そして、丸められた蓋部２０を保持部材４１で包持し、保持部材４１のボタン孔４５に係止体４２であるボタン４２ａを挿通して、保持部材４１の他端４４を係止する。これにより、蓋部２０が使用意図に反して開口１１を塞ぐことを防止することができる。
【００２９】
また、こたつに電熱ヒータが備えられている場合には、こたつの内部のみを暖房することができる。この場合は、側面部１０に設けられた開口１１を蓋部２０で塞ぐ。詳しくは、係止体４２であるボタン４２ａを、保持部材４１のボタン孔４５から取外す。こうすることで、蓋部２０の固定されていない側縁部、即ち側面部１０の外周縁１２は、自然落下して垂下し、開口１１を塞ぐようになる。このように、開口１１を閉にすることで、周知のこたつ用布団と同様に用いることができる。
その他の作用，効果は、上述の第一の実施の形態と同様である。
【００３０】
図７には、本発明の第三の実施の形態に係るこたつ用布団Ｆを示している。これは、第一の実施の形態と略同様に構成され、第一の実施の形態と異なって、こたつ用布団Ｆは、円形に形成されている。
その他の作用，効果は、上述の第一の実施の形態と同様である。
【００３１】
尚、上記実施の形態において、暖房機３０を電熱あるいは石油ストーブ等で構成したが、必ずしもこれに限定されるものではなく、温風Ｎを送風するものであれば、どのようなものでも良く、適宜変更して差支えない。
また、上記実施の形態において、開口１１を１つ設けたが、必ずしもこれに限定されるものではなく、幾つ設けても良く、適宜変更して差支えない。
更に、上記実施の形態において、側面部１０に大片体Ｆａと小片体Ｆｂとを分割するファスナ５０を設けたが、必ずしもこれに限定されるものではなく、何処に設けても良く、適宜変更して差支えない。
更にまた、上記実施の形態において、小片体Ｆｂを枕として使用したが、必ずしもこれに限定されるものではなく、どのような用途に用いても良く、適宜変更して差支えない。
【００３２】
尚また、上記第一の実施の形態において、蓋部２０と開口１１とをファスナで取付けたが、必ずしもこれに限定されるものではなく、ボタン等、着脱可能な形態であれば良く、適宜変更して差支えない。
また、上記第二の実施の形態において、蓋部２０を、蓋部２０の上縁１７と開口１１の上縁１３とを一体化して設けたが、必ずしもこれに限定されるものではなく、固定されていればどのように設けても良く、適宜変更して差支えない。
更に、上記第二の実施の形態において、保持部材４１を上述の構成としたが、必ずしもこれに限定されるものではなく、どのようなものでも良く、適宜変更して差支えない。
更にまた、上記第二の実施の形態において、係止体４２をボタン４２ａで構成したが、必ずしもこれに限定されるものではなく、保持部材４１を係止できれば良く、適宜変更して差支えない。
【図面の簡単な説明】
【００３３】
【図１】本発明の第一の実施の形態に係るこたつ用布団を、こたつに掛けた状態で示す斜視図である。
【図２】本発明の第一の実施の形態に係るこたつ用布団を、こたつに掛けた状態及びその使用状態とともに示す斜視図である。
【図３】本発明の第一の実施の形態に係るこたつ用布団及び袋を示す図である。
【図４】本発明の第一の実施の形態に係るこたつ用布団を大片体と小片体とに分割した場合の使用方法を示す図である。
【図５】本発明の第二の実施の形態に係るこたつ用布団を、こたつに掛けた状態で示す斜視図である。
【図６】本発明の第二の実施の形態に係るこたつ用布団の側面部を示し、（Ａ）は開口を閉の状態で示す側面図、（Ｂ）は開口を開の状態で示す側面図である。
【図７】本発明の第三の実施の形態に係るこたつ用布団を示す図である。
【図８】従来のこたつ用布団の一例を示す図である。
【符号の説明】
【００３４】
Ｆ  こたつ用布団
Ｆａ  大片体
Ｆｂ  小片体
Ｎ  温風
１  頂面部
２  上部
３  周縁
１０  側面部
１１  開口
１２  外周縁
１３  上縁
１４ａ  エレメント
１４ｂ  エレメント
１５  スライダ
１６  開口縁
１７  上縁
２０  蓋部
３０  暖房機
４０  保持部
４１  保持部材
４２  係止体
４２ａ  ボタン
４３  一端
４４  他端
４５  ボタン孔
５０  ファスナ
５１  袋
【図１】
2009068813.tif 000003
【図２】
2009068813.tif 000004
【図３】
2009068813.tif 000005
【図４】
2009068813.tif 000006
【図５】
2009068813.tif 000007
【図６】
2009068813.tif 000008
【図７】
2009068813.tif 000009
【図８】
2009068813.tif 000010